(57)【要約】【課題】非操作時における可変抵抗器の抵抗素子での消費電力を抑えること。【解決手段】第１絶縁性基板１７の基板面に第１抵抗体１１、第２抵抗体１２を絶縁した状態で併設し、第１絶縁性基板１７に対して離間して対向配置する第２絶縁性基板１８には第１絶縁性基板１７との対向面に導電体１３を形成する。第１絶縁性基板１７又は第２絶縁性基板１８は第１抵抗体１１、第２抵抗体１２と導電体１３とを押圧接触可能な可撓性基板で構成する。電圧出力部２１から第１抵抗体１１の第１の電圧印加部１４と第２抵抗体１２の電圧印加部１５との間に電圧を印加し、待機状態となる非押圧状態では第１抵抗体１１、第２抵抗体１２を非道通とすることで消費電力を生じない構成とした。【選択図】図１
2007035930.tif 000002
【特許請求の範囲】
【請求項１】
一面が押圧操作される側の操作側面とされた可撓性を有する第１の基板と、この第１の基板の他面に対して一面が離間して対向配置された第２の基板と、前記第１の基板の他面と前記第２の基板の一面とのうち何れか一方に設けられ互いに絶縁された第１と第２の抵抗体と、前記第１の基板の他面と前記第２の基板の一面とのうち何れか他方に設けられ、前記第１の基板の操作側面への押圧操作に伴って、押圧位置に応じた前記第１の抵抗体と前記第２の抵抗体の対応位置を導通させる導電体とを備え、前記第１の抵抗体の一部は第１の電圧印加部に、前記第２の抵抗体の一部は第２の電圧印加部にそれぞれ導通接続されており、前記第１の電圧印加部と前記第２の電圧印加部との間に電圧が印加されることを特徴とする可変抵抗器。
【請求項２】
前記第１の基板の操作側面の押圧領域が一端と他端とを有して延在されており、前記第１の電圧印加部は、前記押圧領域の一端側に対応した位置で前記第１の抵抗体と導通接続され、前記第２の電圧印加部は、前記押圧領域の他端側に対応した位置で前記第２の抵抗体と導通接続されていることを特徴とする請求項１記載の可変抵抗器。
【請求項３】
前記第１と第２の抵抗体と、前記導電体とが接離可能に対向配置されたことを特徴とする請求項１又は請求項２記載の可変抵抗器。
【請求項４】
前記第１と第２の抵抗体は、それぞれ帯状に形成され、前記導電体は、前記第１と第２の抵抗体のいずれの幅よりも幅広に設けられたことを特徴とする請求項３記載の可変抵抗器。
【請求項５】
前記第１の基板の他面又は前記第２の基板の一面のうち前記第１と第２の抵抗体が設けられた何れか一方の面に、少なくとも前記操作側面が押圧操作された状態において、前記導電体と導通する出力用導電パターンが設けられていることを特徴とする請求項１から請求項４の何れかに記載の可変抵抗器。
【請求項６】
前記第１と第２の抵抗体は、同一の印刷工程で形成されたことを特徴とする請求項１から請求項５の何れかに記載の可変抵抗器。
【発明の詳細な説明】
【技術分野】
【０００１】
本発明は、電子制御装置に対してアナログ情報をタッチ式で入力可能な情報入力装置に使用することのできる可変抵抗器に関する。
【背景技術】
【０００２】
各種機器の電子制御装置に対して所望のアナログ情報をタッチ式で入力するために可変抵抗器を用いた情報入力装置がある（例えば、特許文献１参照）。かかる情報入力装置には押圧接触型の可変抵抗器が用いられている。
【０００３】
図９は上記特許文献１に記載された押圧接触型の可変抵抗器の構成図である。同図に示すように、可変抵抗器１００は、所定長さの抵抗素子１０１と、該抵抗素子１０１に離間して対向配置された可撓性の短絡素子１０２とを備え、抵抗素子１０１の一端側の端子１０３に対して電池１０４の正極を接続し、抵抗素子１０１の他端側の端子１０５を接地した構成となっている。
【０００４】
図９に示すように、短絡素子１０２を任意の位置で抵抗素子１０１に向かって押圧した場合、押圧位置に対応した接触点Ｐにて短絡素子１０２と抵抗素子１０１とが導通する。抵抗素子１０１の全抵抗値をＲとし、接触点Ｐの両側の抵抗値をＲ１、Ｒ２（Ｒ＝Ｒ１＋Ｒ２）、電池１０４の直流電圧をＶｓとすると、短絡素子１０２の出力電圧Ｖoutは、Ｖout＝（Ｖs／Ｒ）×Ｒ２となって、出力端子１０６に現れる。図９に示す例では、出力電圧ＶoutをＡ／Ｄ変換器１０７でデジタル信号に変換し、入出力インターフェース１０８を介してＣＰＵ１０９に取り込んで各種制御に用いている。
【特許文献１】特開平６−５３０１５号公報
【発明の開示】
【発明が解決しようとする課題】
【０００５】
しかしながら、上述した可変抵抗器１００は、抵抗素子１０１の両端間に常に電圧（Ｖｓ）を印加している構成であるので、非操作時においても抵抗素子１０１で電力が消費されてしまうという課題がある。例えば、携帯機器端末のように、電源としてバッテリを用いる機器では、可変抵抗器１００の待機電力が機器の使用時間を短縮させることになるので、携帯機器端末の使用可能時間を延ばすためにも可変抵抗器１００の待機電力を抑制することが望まれる。
【０００６】
本発明は、かかる点に鑑みてなされたものであり、非操作時における抵抗素子での消費電力を抑えることができる可変抵抗器を提供することを目的とする。
【課題を解決するための手段】
【０００７】
本発明の可変抵抗器は、一面が押圧操作される側の操作側面とされた可撓性を有する第１の基板と、この第１の基板の他面に対して一面が離間して対向配置された第２の基板と、前記第１の基板の他面と前記第２の基板の一面とのうち何れか一方に設けられ互いに絶縁された第１と第２の抵抗体と、前記第１の基板の他面と前記第２の基板の一面とのうち何れか他方に設けられ、前記第１の基板の操作側面への押圧操作に伴って、押圧位置に応じた前記第１の抵抗体と前記第２の抵抗体の対応位置を導通させる導電体とを備え、前記第１の抵抗体の一部は第１の電圧印加部に、前記第２の抵抗体の一部は第２の電圧印加部にそれぞれ導通接続されており、前記第１の電圧印加部と第２の電圧印加部との間に電圧が印加されることを特徴とする。
【０００８】
以上の構成によれば、可変抵抗器の抵抗素子を構成する第１と第２の抵抗体は互いに絶縁されているので、第１の基板の操作側面が押圧されていない待機状態では第１、第２の抵抗体は非導通状態に保たれ、第１と第２の抵抗体での消費電力は生じないこととなる。一方、第１の基板の操作側面が押圧された使用状態では導電体により第１と第２の抵抗体が押圧位置に対応した位置で導通し、押圧位置に応じた出力電圧が得られる。
【０００９】
また本発明は、上記可変抵抗器において、前記第１の基板の操作側面の押圧領域が一端と他端とを有して延在されており、前記第１の電圧印加部は、前記押圧領域の一端側に対応した位置で前記第１の抵抗体と導通接続され、前記第２の電圧印加部は、前記押圧領域の他端側に対応した位置で前記第２の抵抗体と導通接続されていることを特徴とする。
【００１０】
この構成により、第１の電圧印加部が押圧領域の一端側に対応した位置で第１の抵抗体と接続され、第２の電圧印加部が押圧領域の他端側に対応した位置で第２の抵抗体と接続されるので、押圧領域の一端側から他端側に亘り押圧位置に応じて出力電圧を変化させることができる。
【００１１】
また本発明は、上記可変抵抗器において、前記第１と第２の抵抗体と、前記導電体とが接離可能に対向配置されることが望ましい。これにより、小型化された可変抵抗器を実現できる。
【００１２】
また本発明は、上記可変抵抗器において、前記第１と第２の抵抗体は、それぞれ帯状に形成され、前記導電体は、前記第１と第２の抵抗体のいずれの幅よりも幅広に設けられることが望ましい。これにより、押圧状態では幅広の導電体を第１と第２の抵抗体に対して確実に接触させることができ、第１と第２の抵抗体を確実に導通させることができる。
【００１３】
また本発明は、上記可変抵抗器において、前記第１の基板の他面又は前記第２の基板の一面のうち前記第１と第２の抵抗体が設けられた何れか一方の面に、少なくとも前記操作側面が押圧操作された状態において、前記導電体と導通する出力用導電パターンが設けられていることを特徴とする。
【００１４】
この構成により、第１と第２の抵抗体が形成された第１又は第２の基板と同一の基板から出力用導電パターンを介して出力電圧を取り出すことができ、引き出し線や引き出し用パターンの処理が容易になる。
【００１５】
また本発明は、上記可変抵抗器において、前記第１と第２の抵抗体は、同一の印刷工程で形成されたことを特徴とする。
【００１６】
この構成により、第１と第２の抵抗体の抵抗率を揃えることができ、出力電圧のバラツキを抑えることができる。
【発明の効果】
【００１７】
本発明によれば、待機状態での消費電力の無駄を無くすことができ、携帯機器端末等に用いることによりその使用可能時間を延ばすことができる。
【発明を実施するための最良の形態】
【００１８】
以下、本発明の一実施の形態について添付図面を参照して詳細に説明する。
図１は、本実施の形態にかかる可変抵抗器に対して電子制御部を接続した状態を示す構成説明図である。なお、この図１では第１及び第２の基板を省略している。
【００１９】
可変抵抗器１は、抵抗素子が第１抵抗体１１と第２抵抗体１２とに分割されていて、これら第１抵抗体１１、第２抵抗体１２に対して導電体１３が対向配置された構成となっている。第１抵抗体１１及び第２抵抗体１２は共に一方向に直線的に伸びる帯状をなしており、絶縁した状態で互いに所定幅を隔てて配置されている。第１抵抗体１１の一端に第１の電圧印加部１４が導通接続され、第２抵抗体１２の一端であって上記第１の電圧印加部１４を設けた端部とは反対側に第２の電圧印加部１５が導通接続されている。本例では、第１、第２の電圧印加部１４、１５を抵抗体１１，１２の一部に直接設けているが、第１、第２の電圧印加部１４、１５を抵抗体１１，１２から離れた位置に設け、良導電性の導電パターンや導線を介して接続するように構成することも出来る。図１に示す例では、第１抵抗体１１の第１の電圧印加部１４は第１の電位となる所定電位（Ｖin）が印加され、第２抵抗体１２の第２の電圧印加部１５に第１の電位とは異なる第２の電位である接地電位（GROUND）が印加される。なお、図中のＰ１は押圧位置での押圧範囲を示している。押圧範囲Ｐ１は第１、第２抵抗体１１、１２に対して導電体１３が同時に接触する面積となっている。
【００２０】
図２（ａ）（ｂ）及び図３を参照して、可変抵抗器１の構成をさらに詳しく説明する。図２（ａ）は基板上に形成された第１抵抗体１１及び第２抵抗体１２の平面図であり、図２（ｂ）は基板上に形成された導電体１３の平面図である。
【００２１】
図２（ａ）に示すように、第２の基板としての第１絶縁性基板１７の基板面上に第１抵抗体１１及び第２抵抗体１２が形成されている。第１抵抗体１１及び第２抵抗体１２は図中左右方向に伸びた長方形状をなし、互いに所定幅だけ離間して絶縁されている。本実施の形態では、第１抵抗体１１と第２抵抗体１２との離間幅は押圧操作時以外には短絡しない程度まで近接させることとする。後述する押圧領域の一端に対応した第１抵抗体１１の右端部に所定電位Ｖinが印加される第１の電圧印加部１４が形成され、押圧領域の他端に対応した第２抵抗体１２の左端部に接地電位が印加される第２の電圧印加部１５が形成されている。
【００２２】
図２（ｂ）に示すように、第１の基板としての第２絶縁性基板１８の基板面上に長方形状の導電体１３が形成されている。第２絶縁性基板１８の一方の面であって導電体１３が形成された面とは反対側の面が操作側面となる。第２絶縁性基板１８は、可撓性を有している。第２絶縁性基板１８の操作側面に押圧力を加えた押圧状態では、導電体１３が第１、第２抵抗体１１，１２に十分に接する程度まで変形する。また、第２絶縁性基板１８の操作側面に対する押圧力を解除した非押圧状態では、導電体１３を第１、第２抵抗体１１，１２から離間させて元の状態に復帰する。第２絶縁性基板１８としてフレキシブル基板を用いることができる。導電体１３の端部には出力電圧Ｖoutを外部へ取り出すための導電性パターンの電圧取出し部１６が導通接続されている。
【００２３】
図２（ａ）（ｂ）に示すように、長方形状の導電体１３と第１、第２抵抗体１１，１２の形成領域とは略同一形状をなしている。操作側面側から導電体１３の形成領域のいずれの場所を押圧しても、押圧位置に応じた第１、第２抵抗体１１，１２の対応位置に導電体１３がほぼ同時に接して導通し得るように導電体１３の幅や第１、第２抵抗体１１，１２の離間幅を設定する。本実施の形態では、第１、第２抵抗体１１，１２の幅よりも導電体１３を幅広にすることにより、押圧状態では幅広の導電体１３を第１、第２抵抗体１１，１２に対して確実に接触させ、第１、第２抵抗体１１，１２を確実に導通させることができるようにしている。
【００２４】
図３は可変抵抗器１の側断面構造を模式的に示す図である。第１絶縁性基板１７の第１、第２抵抗体１１，１２形成面と第２絶縁性基板１８の導電体１３形成面とが向き合うように、第１絶縁性基板１７に対して第２絶縁性基板１８が離間して対向配置されている。第１絶縁性基板１７と第２絶縁性基板１８との間に介在させたスペーサ１９が、第２絶縁性基板１８の押圧変形により導電体１３が第１、第２抵抗体１１，１２に接離するのに好適なスペース（離間幅）を形成している。第１絶縁性基板１７及び第２絶縁性基板１８の外周部は保持部材２０にて保持されている。ここで、第１及び第２抵抗体１１，１２と導電体１３とが接離可能に対向配置されている領域が押圧領域であり、本実施の形態においては導電体１３と略同一形状をした長方形状をしている。そして、この押圧領域は、第１、第２抵抗体１１，１２の長手方向に一端と他端を有するものとなっている。
【００２５】
なお、図３には示されていないが、操作領域（押圧領域）を初めとした各種表示を印刷した可撓性を有する印刷シートを、第２絶縁性基板１８の操作側面上に載置又は貼着することとする。
【００２６】
ここで、第１、第２抵抗体１１，１２の製造工程について説明する。第１絶縁性基板１７の抵抗体形成面に対して第１、第２抵抗体１１，１２の形状及び離間幅に対応したパターンが形成されたスクリーン（印刷マスク）を配置し、該スクリーンの上から抵抗体材料（例えば、カーボンインク）をスクリーン印刷して、抵抗体材料を加熱する。これにより、第１抵抗体１１と第２抵抗体１２とは同一成分の抵抗体材料によって形成されることになるので、第１抵抗体１１と第２抵抗体１２の抵抗率等の電気的特性を揃えることができ、出力電圧Ｖoutのバラツキを抑えることができる。
【００２７】
以上のように構成された可変抵抗器１は、第１、第２抵抗体１１、１２から構成される抵抗素子に対して、第１、第２の第１の電圧印加部１４、１５を介して所定電圧（Ｖin−GROUND）が印加されることになるが、分割されて離間した第１、第２抵抗体１１、１２から導電体１３が離間した状態（非押圧状態）では、第１抵抗体１１と第２抵抗体１２とが非導通状態のままであるので、抵抗素子（第１抵抗体１１及び第２抵抗体１２）における電力消費は発生しない。
【００２８】
次に、上記可変抵抗器１に対して接続される情報入力装置側の電子制御部２について説明する。電子制御部２は、可変抵抗器１の第１抵抗体１１に接続した第１の電圧印加部１４と第２抵抗体１２に接続した第２の電圧印加部１５との間に所定電圧を印加する電圧出力部２１を備える。本実施の形態では、第１抵抗体１１に接続した第１の電圧印加部１４に対する印加電位をＶinとし、第２抵抗体１２に接続した第２の電圧印加部１５に対する印加電位を接地電位（GROUND）としている。導電体１３に接続した電圧取出し部１６に現れる出力電圧（Ｖout）はＡ／Ｄ変換部２２のアナログ入力端子に入力されている。Ａ／Ｄ変換部２２は出力電圧（Ｖout）をデジタル値に変換してＣＰＵ部２３に入力する。ＣＰＵ部２３は出力電圧（Ｖout）の値から第２絶縁性基板１８の操作側面上でのタッチ位置を算出する演算機能を備える。
【００２９】
次に、図４（ａ）〜（ｃ）及び図５（ａ）（ｂ）を参照して可変抵抗器１を操作した場合の動作例を説明する。
【００３０】
図４（ａ）は、不使用状態（待機状態）を示しており、第２絶縁性基板１８の操作側面を押圧する前の状態を示している。第２絶縁性基板１８の操作側面が押圧されていないために、導電体１３が第１、第２抵抗体１１，１２から離間した状態が保たれている。図５（ａ）は可変抵抗器１の待機状態における回路模式図である。待機状態では、導電体１３が第１抵抗体１１と第２抵抗体１２の双方に接触しない状態となっている。第１抵抗体１１と第２抵抗体１２とは離間して絶縁されているので、非導通状態となっている。したがって、電圧出力部２１から第１抵抗体１１と第２抵抗体１２との間に電圧が印加されているが、第１抵抗体１１及び第２抵抗体１２の双方には電流が流れないので第１抵抗体１１及び第２抵抗体１２における電力消費は生じていない。
【００３１】
図４（ｂ）は、使用状態を示しており、第２絶縁性基板１８の操作側面が押圧されている状態を示している。第２絶縁性基板１８が操作側面の押圧位置において第１絶縁性基板１７側に変形し、該第２絶縁性基板１８に形成された導電体１３が押圧位置にて第１、第２抵抗体１１，１２に接触する。
【００３２】
図５（ｂ）は、可変抵抗器１が使用状態となっている押圧時の回路模式図である。第１抵抗体１１と第２抵抗体１２とは押圧位置に応じた位置で導電体１３を介して導通している。第１抵抗体１１の電圧印加端部（第１の電圧印加部１４）から押圧位置までの距離及び第２抵抗体１２の電圧印加端部（第２の電圧印加部１５）から押圧位置までの距離に応じた出力電圧Ｖoutが、導電体１３に接続された電圧取り出し部１６に現れる。
【００３３】
ここで、説明を簡略化するために、第１抵抗体１１と第２抵抗体１２は同一サイズであり、全抵抗値をそれぞれ同じ値のＲとし、第１抵抗体１１の第１の電圧印加部１４から押圧位置までの抵抗値をＲ１、第２抵抗体１２の第２の電圧印加部１５から押圧位置までの抵抗値をＲ２とし、双方の抵抗率が同じであるとする。この場合、Ｒ＝Ｒ１＋Ｒ２となり、Ｖout＝（Ｖin／Ｒ）×Ｒ２となる。すなわち、第１抵抗体１１の電圧印加端部及び第２抵抗体１２の電圧印加端部から押圧位置までのそれぞれの距離を抵抗値として扱うことができ、出力電圧Ｖoutから押圧位置を検出できることになる。出力電圧ＶoutをＡ／Ｄ変換部２２でデジタル信号に変換してＣＰＵ２３に取り込み、押圧位置を計算する。
【００３４】
図４（ｃ）に示すように、そのまま指をスライドさせることにより、押圧位置が変化するのに伴い第１抵抗体１１と第２抵抗体１２の導電体１３との接触位置（導通位置）が変化する。すなわち、指のスライドに応じてＲ１、Ｒ２の値が変化し、出力電圧Ｖoutが変化する。ここで、図２に示すように、第１抵抗体１１の電圧印加端（第１の電圧印加部１４）と第２抵抗体１２の電圧印加端（第２の電圧印加部１５）とを抵抗体（押圧領域）長手方向であって押圧領域の一端側と他端側とに位置する各対向端に設けることにより、出力電圧が変化するスライド範囲を最も長くすることができる。スライド範囲を長くして出力電圧の変化量が大きいほど正確な情報入力が可能になる。
【００３５】
このように、本実施の形態によれば、可変抵抗器１においてタッチ位置を出力電圧Ｖoutに変換する抵抗素子を、複数の抵抗体に分割して所定幅を隔てて併設し、該分割された抵抗体を操作時にだけ導通させて出力電圧Ｖoutを検出できるように構成したので、待機状態における抵抗素子での消費電力を無くすことができる。したがって、このような可変抵抗器１を用いた情報入力装置を携帯機器端末に用いれば、携帯機器端末の使用時間を延ばすことができる。
【００３６】
また、本実施の形態によれば、第１、第２抵抗体１１，１２の離間幅を短絡しない程度まで近接させると共に第１、第２抵抗体１１，１２に対して直接対面するように導電体１３を対向配置したので、第１、第２抵抗体１１，１２と導電体１３とを水平方向にずらした配置に比べて、可変抵抗器１の面積を小さくでき小型化を図ることができる。
【００３７】
本発明は、上記一実施の形態に限定されるものではなく、本発明の要旨を逸脱しない範囲で種々変形実施可能である。
【００３８】
例えば、上記実施の形態では、可撓性を有する第２絶縁性基板１８に導電体１３を形成しているが、第２絶縁性基板１８に第１、第２抵抗体１１，１２を形成し、第１絶縁性基板１７に導電体１３を形成する構成としてもよい。このような構成を採用した場合、押圧状態では第１、第２抵抗体１１，１２が導電体１３側へ変位して導電体１３に対して接触することとなるが、それ以外の作用効果は上記実施の形態と同様である。
【００３９】
また、上記実施の形態では、可変抵抗器１への電圧印加は第１絶縁性基板１７に形成された第１、第２の電圧印加部１４，１５に対して行い、可変抵抗器１の出力電圧Ｖoutは第２絶縁性基板１８に形成された電圧取出し部１６から取り出していた。すなわち、第１絶縁性基板１７の第１、第２の電圧印加部１４，１５から導線あるいは導電パターン（図示せず）が引き出され、第２絶縁性基板１８の電圧取出し部１６から導線あるいは導電パターン（図示せず）が引き出されていた。これを第１、第２抵抗体１１、１２が形成された絶縁性基板側だけから導線あるいは導電パターン（図示せず）が引き出されるように構成することも可能である。
【００４０】
図６（ａ）（ｂ）は、可変抵抗器の抵抗素子に対する電圧印加用の電圧印加部と出力電圧Ｖoutを取り出す電圧取出し部とを同一基板に設けた構成を示す図である。図６（ａ）に示すように、第１、第２抵抗体１１，１２が形成された基板面に第１、第２抵抗体１１，１２の形成方向に沿って出力用導電部３１を形成し、出力用導電部３１の一端部に電圧取出し部３２を設けている。出力用導電部３１は第１、第２抵抗体１１，１２と略同じ高さとなるように設定する。また、図６（ｂ）に示すように、導電体３３から電圧取出し部は削除している。例えば、導電体３３の形成された第２絶縁性基板１８の操作側面を押圧した場合、押圧位置において第１、第２抵抗体１１，１２及び出力用導電部３１が導電体３３に接する。これにより、第１、第２抵抗体１１，１２が導電体３３との接触点で導通すると共に当該接触点に応じた出力電圧が出力用導電部３１の電圧取出し部３２に現れる。
【００４１】
このように、可変抵抗器１の抵抗素子（１１，１２）に対する電圧印加用の電圧印加部（１４，１５）と出力電圧Ｖoutを取り出す電圧取出し部（３２）とを同一基板に設けたことにより、可変抵抗器１に対する引き出し線あるいは引き出し用パターンを同一基板にまとめる事ができ引き出し線や引き出し用パターンの処理が容易になり、作業効率を改善することもできる。なお、引き出し用パターンを設ける場合には、電圧取出し部３２につながる導電パターンを、第１、第２抵抗体１１，１２の形成された例えば、第１絶縁性基板１７に印刷により形成する。この場合、第１、第２の電圧印加部１４，１５に接続される導電パターンを同様に印刷形成するのが好ましい。
【００４２】
また、上記実施の形態では、第１、第２抵抗体１１，１２と導電体１３とを直接対面させていたが、必ずしも双方を対面させなくても第１、第２抵抗体１１，１２とを押圧位置で導通させることができる。
【００４３】
図７は、第１、第２抵抗体と導電体とを対面させない配置例を示す図である。例えば、第１絶縁性基板１７の基板面上に導電性の櫛歯４３を有する第１抵抗体４１と導電性の櫛歯４４を有する第２抵抗体４２とを、互いの櫛歯４３、４４を接触させないようにかみ合わせた配置とする。導電体４５は、互いにかみ合わされた櫛歯４３，４４と対面するように対向配置する。導電体４５は、図示されていない第２絶縁性基板１８の基板面に形成されている。これにより、押圧位置にある第１絶縁性基板１７の櫛歯４３と第２抵抗体４２の櫛歯４４とが押圧により変位した導電体４５に接して導通する。第１抵抗体４１と第２抵抗体４２とは導通している櫛歯４３，４４位置が短絡点となる。短絡点に応じた出力電圧Ｖoutは導電体４５の電圧取出し部１６から取り出される。この場合には、互いにかみ合わされた櫛歯４３，４４と接離可能に対向配置された導電体４５の形成領域が押圧領域となる。
【００４４】
このように、第１、第２抵抗体と導電体とが対面しないように配置した場合であっても、押圧位置に応じた出力電圧Ｖoutを得ることができ、双方を対向配置できない又は対向配置しないほうが好ましいといった制約が在る場合であっても対応することが可能である。
【００４５】
また、以上の説明では、第１、第２抵抗体１１，１２等は長尺な長方形状をしているが本発明はそのような直線状の形状に限定されるものではない。例えば、第１、第２抵抗体１１，１２が蛇行する形状、円弧状に曲がった形状、Ｕ字状に曲がった形状等からなる非直線的に伸びる帯状であってもよい。また、帯状をなさない例えば半円形状の第１、第２抵抗体１１，１２が互いの直線部を近接して離間配置されるようにしても良い。
【００４６】
図８（ａ）（ｂ）は第１抵抗体の形状を概略Ｕ字形状に変形した変形例を示す図である。第１抵抗体５１が略Ｕ字形状に二股に分かれていて、該第１抵抗体５１の間に収まるように長尺な長方形状の第２抵抗体５２が配置されている。第２絶縁性基板１８に形成された導電体１３は、第１抵抗体５１と第２抵抗体５２との離間領域（略Ｕ字形状）をカバーするサイズに設定している。この場合においても、第１抵抗体５１及び第２抵抗体５２と接離可能に対向配置された部分における導電体１３の領域が押圧領域となり、本実施の形態においても、押圧領域は図８の左右方向に長い略長方形状をしている。
【００４７】
このように第１抵抗体５１の略Ｕ字形状に二股に分かれた間に第２抵抗体５２を配置することにより、導通可能領域を操作面の全域に幅広に分布させることが可能になる。したがって、例えば、図８（ａ）に示されるように、操作側面の端部寄りの位置Ｐ１又はＰ２を押圧した場合であっても、第１抵抗体５１と第２抵抗体５２とを確実に導通させることができ、安定したアナログ入力が可能となる。
【００４８】
また、第１絶縁性基板１７と第２絶縁性基板１８とは必ずしも分離された別々の基板である必要はなく、例えば１枚のポリエステルフィルム等からなる可撓性基板を二つ折りにしたものでも良い。この場合、押圧される側の基板に対向配置される下側の基板を鋼板等の硬い支持板で支持する構成とすることが望ましい。
【産業上の利用可能性】
【００４９】
本発明は、アナログ情報をタッチ式で入力可能な情報入力装置に適用可能である。
【図面の簡単な説明】
【００５０】
【図１】一実施の形態にかかる情報入力装置の構成図
【図２】（ａ）図１に示す可変抵抗器の抵抗素子形成側の絶縁性基板の平面図、（ｂ）図１に示す可変抵抗器の導電体形成側の絶縁性基板の平面図
【図３】図１に示す可変抵抗器の断面構造を示す図
【図４】（ａ）上記実施の形態において可変抵抗器の操作面にタッチ前の不使用状態を示す図、（ｂ）上記実施の形態において可変抵抗器の操作面にタッチした使用状態を示す図、（ｃ）上記実施の形態において可変抵抗器の操作面のタッチ位置をスライドした使用状態を示す図
【図５】（ａ）図４（ａ）に対応した不使用状態における可変抵抗器の等価回路図、（ｂ）図４（ｂ）に対応した使用状態における可変抵抗器の等価回路図
【図６】（ａ）出力電圧の取り出し口を変更した変形例における抵抗素子形成側の絶縁性基板の平面図、（ｂ）同変形例における導電体形成側の絶縁性基板の平面図
【図７】抵抗体と導電体との配置関係を変更した変形例における抵抗素子形成側の絶縁性基板の平面図
【図８】（ａ）第１抵抗体をＵ字形状に変更した変形例における抵抗素子形成側の絶縁性基板の平面図、（ｂ）同変形例における導電体形成側の絶縁性基板の平面図
【図９】従来の押圧接触型の可変抵抗器の構成図
【符号の説明】
【００５１】
１  可変抵抗器
２  電子制御部
１１、４１、５１  第１抵抗体
１２、４２、５２  第２抵抗体
１３、３３、４５  導電体
１４、１５  電圧印加部
１６、３２  電圧取出し部
１７  第１絶縁性基板（第２の基板）
１８  第２絶縁性基板（第１の基板）
１９  スペーサ
２１  電圧出力部
２２  Ａ／Ｄ変換部
２３  ＣＰＵ部
３１  出力用導電部
【図１】
2007035930.tif 000003
【図２】
2007035930.tif 000004
【図３】
2007035930.tif 000005
【図４】
2007035930.tif 000006
【図５】
2007035930.tif 000007
【図６】
2007035930.tif 000008
【図７】
2007035930.tif 000009
【図８】
2007035930.tif 000010
【図９】
2007035930.tif 000011